(57)【要約】  移動通信基地局装置１０は、３ＧＰＰ仕様「ＴＳ２５．３０４」で定義された状態「Ｃａｍｐｅｄ  ｏｎ  ａｎｙ  ｃｅｌｌ」にある携帯端末４０に対して緊急呼番号情報を含んだ報知情報１を送信する。そして、携帯端末４０は、移動体通信基地局装置１０から送信された報知情報１を受信し、報知情報１に含まれる緊急呼番号情報２を取得する。なお、状態「Ｃａｍｐｅｄ  ｏｎ  ａｎｙ  ｃｅｌｌ」とは、携帯端末４０において、ＩＣカードが未挿入で、かつ、移動体通信基地局装置１０と電波強度的に待ち受け可能な状態、または、ＩＣカードが挿入され、かつ、当該移動体通信基地局装置１０と電波強度的に待ち受け可能であり、かつ、当該移動体通信基地局装置１０とＲＮＣを介し、ＭＳＣへのＡｔｔａｃｈもしくは位置登録を現に失敗している状態のことである。
2009013792.tif 000002
【特許請求の範囲】
【請求項１】
サービスとして報知する情報である報知情報を送信する移動体通信基地局装置と、前記報知情報を受信する端末装置とで構成される緊急呼番号情報取得システムであって、
前記移動体通信基地局装置は、
ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信手段を備え、
前記端末装置は、
前記第一状態、または、前記第二状態において、前記移動体通信基地局装置の送信手段によって送信された報知情報を受信した場合に、当該受信した報知情報に含まれる緊急呼番号情報を取得する緊急呼番号情報取得手段を備えたことを特徴とする緊急呼番号情報取得システム。
【請求項２】
サービスとして報知する情報である報知情報を端末装置に送信する移動体通信基地局装置であって、
ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信手段を備えたことを特徴とする移動体通信基地局装置。
【請求項３】
移動体通信基地局装置がサービスとして報知する情報である報知情報を受信する端末装置であって、
ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態において、前記移動体通信基地局装置より送信された報知情報を受信した場合に、当該受信した報知情報に含まれる緊急呼番号情報を取得する緊急呼番号情報取得手段を備えたことを特徴とする端末装置。
【請求項４】
サービスとして報知する情報である報知情報を移動体通信基地局装置が端末装置に送信し、前記端末装置において受信した報知情報に含まれる情報を取得する緊急呼番号情報取得方法であって、
前記移動体通信基地局装置が、
ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信工程を含み、
前記端末装置が、
前記第一状態、または、前記第二状態において、前記移動体通信基地局装置の送信工程より送信された報知情報を受信した場合に、当該受信した報知情報に含まれる緊急呼番号情報を取得する緊急呼番号情報取得工程を含んだことを特徴とする緊急呼番号情報取得方法。
【請求項５】
サービスとして報知する情報である報知情報を端末装置に送信する移動体通信基地局装置としてのコンピュータに実行させる緊急呼番号情報取得プログラムであって、
ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信手順をコンピュータに実行させることを特徴とする緊急呼番号情報取得プログラム。
【請求項６】
移動体通信基地局装置がサービスとして報知する情報である報知情報を受信する端末装置としてのコンピュータに実行させる緊急呼番号情報取得プログラムであって、
ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置において、前記移動体通信基地局装置より送信された報知情報を受信した場合に、当該受信した報知情報に含まれる緊急呼番号情報を取得する緊急呼番号情報取得手順をコンピュータに実行させることを特徴とする緊急呼番号情報取得プログラム。
【発明の詳細な説明】
【技術分野】
【０００１】
この発明は、サービスとして報知する情報である報知情報を送信する移動体通信基地局装置と、報知情報を受信する端末装置とで構成される緊急呼番号情報取得システムに関する。
【背景技術】
【０００２】
従来、携帯端末、あるいは、携帯端末に挿入されるＵＳＩＭ（（Universal  Subscriber  Identity  Module）またはＳＩＭ（Subscriber  Identity  Module））カードには、警察や消防などの緊急機関の電話番号を示す情報である緊急呼番号情報が記憶されている。このような緊急呼番号情報が記憶された携帯端末として、例えば、３ＧＰＰ（3rd  Generation  Partnership  Project）仕様における「Ｒｅｌｅａｓｅ９９」以降の携帯端末がある。この携帯端末は、発信される電話番号を示す電話番号情報と、記憶された緊急呼番号情報とを照合し、異なる場合には、通常呼の発信にＳＥＴＵＰという信号を移動体通信基地局(Node  B/Base  Transceiver  Station(BTS))、無線ネットワーク制御装置(Radio  Network  Controller  (RNC))を介して移動体通信交換局(Mobile-services  Switching  Centre(MSC))へ送信し、同一である場合には、緊急呼の発信にＥＭＥＲＧＥＮＣＹ  ＳＥＴＵＰという信号をＮｏｄｅ  Ｂ／ＢＴＳとＲＮＣを介してＭＳＣへ送信する。【０００３】
ところで、携帯端末やＵＳＩＭカードに格納される緊急呼番号情報については、当該携帯端末やＵＳＩＭカードが販売される国のものである場合が多く、販売された国以外では、緊急呼番号情報が異なるので、緊急呼の発信にＥＭＥＲＧＥＮＣＹ  ＳＥＴＵＰという信号を移動体通信基地局へ送信できない。【０００４】
このため、３ＧＰＰ仕様「Ｒｅｌｅａｓｅ５」の携帯端末は、Ａｔｔａｃｈ完了時（ATTACH  ACCEPT受信時）のタイミング、または、位置登録完了時（LOCATION  UPDATING  ACCEPT／ROUTING  AREA  UPDATE  ACCEPT受信時）のタイミングでＭＳＣから緊急呼番号情報とＳｅｒｖｉｃｅ  Ｃａｔｅｇｏｒｙとを受信する。こうすることによって、携帯端末は、自身やＵＳＩＭカードに予め格納された緊急呼番号情報が示す緊急呼番号が現所在地を管轄する緊急機関への連絡先とは異なる場合でも、受信した緊急呼番号情報を用いてＥＭＥＲＧＥＮＣＹ  ＳＥＴＵＰの信号を送信することで緊急呼を発信している。なお、上記したＳｅｒｖｉｃｅ  Ｃａｔｅｇｏｒｙとは、３ＧＰＰ仕様「Ｒｅｌｅａｓｅ４」で国際標準として定められた緊急機関ごとの属性値である。なお、携帯端末が緊急呼を発信する技術として、特許文献１では、Ｓｅｒｖｉｃｅ  Ｃａｔｅｇｏｒｙを付加した緊急呼を発信することで、移動体通信ネットワークにおいて当該Ｓｅｒｖｉｃｅ  Ｃａｔｅｇｏｒｙに対応付けられた緊急機関へ通信接続する技術が開示されている。【０００５】
上記した携帯端末の移動体通信基地局選択(Cell  Selection/Reselection)に関する状態遷移を説明する。図１９は、３ＧＰＰ仕様「ＴＳ２５．３０４」で定義されたＣｅｌｌ  Ｓｅｌｅｃｔｉｏｎ／Ｒｅｓｅｌｅｃｔｉｏｎに関する状態遷移を示す図であるが、同図に示すように、まず、携帯端末は、ＵＳＩＭが未挿入の状態で電源が入ると、状態「Ａｎｙ  Ｃｅｌｌ  Ｓｅｌｅｃｔｉｏｎ」となる（図１９の（１）参照）。ここで、携帯端末は、電波強度的に待ち受け可能な移動体通信基地局が存在する場合には、状態「Ａｎｙ  Ｃｅｌｌ  Ｓｅｌｅｃｔｉｏｎ」から状態「Ｃａｍｐｅｄ  ｏｎ  ａｎｙ  ｃｅｌｌ」へ遷移する（図１９の（２）参照）。【０００６】
一方、携帯端末は、ＵＳＩＭが挿入され（図１９の（３）参照）、携帯端末が待ち受けることが可能な移動体通信基地局が見つかった場合には、状態「Ａｎｙ  Ｃｅｌｌ  Ｓｅｌｅｃｔｉｏｎ」から状態「Ｃａｍｐｅｄ  Ｎｏｒｍａｌｌｙ」となる（図１９の（４）参照）。ところが、携帯端末は、移動体通信基地局との間で正常に待ち受けることが可能な状態が保てなくなると、状態「Ｃａｍｐｅｄ  Ｎｏｒｍａｌｌｙ」から元の状態「Ａｎｙ  Ｃｅｌｌ  Ｓｅｌｅｃｔｉｏｎ」となる（図１９の（５）参照）。また、携帯端末は、ＵＳＩＭが挿入されても、Ａｔｔａｃｈを失敗した場合、または、位置登録に失敗した場合には、依然として状態「Ａｎｙ  Ｃｅｌｌ  Ｓｅｌｅｃｔｉｏｎ」のままとなるが（図１９の（６）参照）、ＨＯＭＥオペレータ、ＨＯＭＥオペレータがローミング契約をしているオペレータ、それ以外のオペレータの移動体通信基地局と電波強度的に待ち受けることが可能な場合には、ＵＳＩＭが未挿入の状態と同様に状態「Ａｎｙ  Ｃｅｌｌ  Ｓｅｌｅｃｔｉｏｎ」から状態「Ｃａｍｐｅｄ  ｏｎ  ａｎｙ  ｃｅｌｌ」へ遷移する（図１９の（７）参照）。【０００７】
つまり、携帯端末は、３ＧＰＰ仕様「ＴＳ２５．３０４」でいうところの正常な待ち受け可能な状態である「Ｃａｍｐｅｄ  Ｎｏｒｍａｌｌｙ」においては、ＭＳＣから緊急呼番号情報を通知されることになっている。【０００８】
【特許文献１】特表２００３−５２６２９６号公報
【発明の開示】
【発明が解決しようとする課題】
【０００９】
しかしながら、上記した技術では、状態「Ｃａｍｐｅｄ  ｏｎ  ａｎｙ  ｃｅｌｌ」にある携帯端末が緊急呼番号情報を取得できないという課題があった。【００１０】
そこで、この発明は、上述した従来技術の課題を解決するためになされたものであり、状態「Ｃａｍｐｅｄ  ｏｎ  ａｎｙ  ｃｅｌｌ」にある携帯端末が緊急呼番号情報を取得することを可能とする緊急呼番号情報取得システムを提供することを目的とする。
【課題を解決するための手段】
【００１１】
上述した課題を解決し、目的を達成するため、請求項１に係る発明は、サービスとして報知する情報である報知情報を送信する移動体通信基地局装置と、前記報知情報を受信する端末装置とで構成される緊急呼番号情報取得システムであって、前記移動体通信基地局装置は、ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信手段を備え、前記端末装置は、前記第一状態、または、前記第二状態において、前記移動体通信基地局装置の送信手段によって送信された報知情報を受信した場合に、当該受信した報知情報に含まれる緊急呼番号情報を取得する緊急呼番号情報取得手段を備えたことを特徴とする。【００１２】
また、請求項２に係る発明は、サービスとして報知する情報である報知情報を端末装置に送信する移動体通信基地局装置であって、ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信手段を備えたことを特徴とする。【００１３】
また、請求項３に係る発明は、移動体通信基地局装置がサービスとして報知する情報である報知情報を受信する端末装置であって、ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態において、前記移動体通信基地局装置より送信された報知情報を受信した場合に、当該受信した報知情報に含まれる緊急呼番号情報を取得する緊急呼番号情報取得手段を備えたことを特徴とする。【００１４】
また、請求項４に係る発明は、サービスとして報知する情報である報知情報を移動体通信基地局装置が端末装置に送信し、前記端末装置において受信した報知情報に含まれる情報を取得する緊急呼番号情報取得方法であって、前記移動体通信基地局装置が、ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信工程を含み、前記端末装置が、前記第一状態、または、前記第二状態において、前記移動体通信基地局装置の送信工程より送信された報知情報を受信した場合に、当該受信した報知情報に含まれる緊急呼番号情報を取得する緊急呼番号情報取得工程を含んだことを特徴とする。【００１５】
また、請求項５に係る発明は、サービスとして報知する情報である報知情報を端末装置に送信する移動体通信基地局装置としてのコンピュータに実行させる緊急呼番号情報取得プログラムであって、ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置に緊急機関の電話番号を示す情報である緊急呼番号情報を含んだ報知情報を送信する送信手順をコンピュータに実行させることを特徴とする。【００１６】
また、請求項６に係る発明は、移動体通信基地局装置がサービスとして報知する情報である報知情報を受信する端末装置としてのコンピュータに実行させる緊急呼番号情報取得プログラムであって、ＩＣカードが未挿入で、かつ、当該移動体通信基地局装置と電波強度的に待ち受け可能な第一状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している第二状態にある前記端末装置において、前記移動体通信基地局装置より送信された報知情報を受信した場合に、当該受信した報知情報に含まれる緊急呼番号情報を取得する緊急呼番号情報取得手順をコンピュータに実行させることを特徴とする。
【発明の効果】
【００１７】
請求項１、２、３、４、５、または６の発明によれば、状態「Ｃａｍｐｅｄ  ｏｎ  ａｎｙ  ｃｅｌｌ」にある端末装置が緊急呼番号情報を取得することが可能となる。
【図面の簡単な説明】
【００１８】
【図１】図１は、実施例１に係る緊急呼番号情報取得システムの概要および特徴を説明するための図である。
【図２】図２は、実施例１に係る緊急呼番号情報取得システムにおける移動体通信基地局の構成を示すブロック図である。
【図３】図３は、Ｍａｓｔｅｒ  Ｉｎｆｏｒｍａｔｉｏｎ  Ｂｌｏｃｋなるフォーマットに緊急呼番号情報を格納する例を説明するための図である。
【図４】図４は、実施例１に係る緊急呼番号情報取得システムにおける携帯端末の構成を示すブロック図である。
【図５−１】図５−１は、緊急呼番号記憶部が記憶する情報の例を示す図である。
【図５−２】図５−２は、第一緊急呼番号記憶部が記憶する情報の例を示す図である。
【図５−３】図５−３は、第二緊急呼番号記憶部が記憶する情報の例を示す図である。
【図５−４】図５−４は、デフォルト緊急呼番号記憶部が記憶する情報の例を示す図である。
【図６】図６は、移動体通信基地局装置による報知情報送信処理の流れを示すフローチャートである。
【図７】図７は、携帯端末による緊急呼番号情報取得処理の流れを示すフローチャートである。
【図８】図８は、携帯端末による発信処理の流れを示すフローチャートである。
【図９−１】図９−１は、緊急呼番号記憶部が記憶する情報の例を示す図である。
【図９−２】図９−２は、第一緊急呼番号記憶部が記憶する情報の例を示す図である。
【図９−３】図９−３は、第二緊急呼番号記憶部が記憶する情報の例を示す図である。
【図９−４】図９−４は、デフォルト緊急呼番号記憶部が記憶する情報の例を示す図である。
【図１０】図１０は、実施例２にかかる緊急呼番号情報取得処理の流れを示すフローチャートである。
【図１１】図１１は、実施例２にかかる発信処理の流れを示すフローチャートである。
【図１２】図１２は、Ｓｙｓｔｅｍ  Ｉｎｆｏｒｍａｔｉｏｎ  Ｂｌｏｃｋ  Ｔｙｐｅ１なるフォーマットに緊急呼番号情報を格納する例を説明するための図である。
【図１３】図１３は、Ｓｙｓｔｅｍ  Ｉｎｆｏｒｍａｔｉｏｎ  Ｂｌｏｃｋ  Ｔｙｐｅ３なるフォーマットに緊急呼番号情報を格納する例を説明するための図である。
【図１４】図１４は、Ｓｙｓｔｅｍ  Ｉｎｆｏｒｍａｔｉｏｎ  Ｂｌｏｃｋ  Ｔｙｐｅ５なるフォーマットに緊急呼番号情報を格納する例を説明するための図である。
【図１５】図１５は、Ｓｙｓｔｅｍ  Ｉｎｆｏｒｍａｔｉｏｎ  Ｂｌｏｃｋ  Ｔｙｐｅ７なるフォーマットに緊急呼番号情報を格納する例を説明するための図である。
【図１６】図１６は、Ｓｙｓｔｅｍ  Ｉｎｆｏｒｍａｔｉｏｎ  Ｂｌｏｃｋ  Ｔｙｐｅ１１なるフォーマットに緊急呼番号情報を格納する例を説明するための図である。
【図１７】図１７は、Ｓｙｓｔｅｍ  Ｉｎｆｏｒｍａｔｉｏｎ  Ｂｌｏｃｋ  Ｔｙｐｅ１９なるフォーマットに緊急呼番号情報を格納する例を説明するための図である。
【図１８】図１８は、３ＧＰＰ仕様「ＴＳ３１．１０２」で定義された格納フォーマットを示す図である。
【図１９】図１９は、３ＧＰＰ仕様「ＴＳ２５．３０４」で定義されたＣｅｌｌ  Ｓｅｌｅｃｔｉｏｎ／Ｒｅｓｅｌｅｃｔｉｏｎに関する状態遷移を示す図である。
【符号の説明】
【００１９】
１  報知情報
２  緊急呼番号情報
１０  移動体通信基地局装置
２０、６０、７０  記憶部
３０、８０  制御部
３１  報知情報送信部
４０  携帯端末
４１ａ  アンテナ
４１ｂ  ディスプレイ
４１ｃ  スピーカ
４１ｄ  受話スピーカ
４１ｅ  マイクロフォン
４１ｆ  操作ボタン
４１ｇ、５１  接続Ｉ／Ｆ部
５０  ＵＳＩＭ
６１  緊急呼番号記憶部
７１  第一緊急呼番号記憶部
７２  第二緊急呼番号記憶部
７３  デフォルト緊急呼番号記憶部
８１  第一緊急呼番号取得部
８２  第二緊急呼番号取得部
８３  通話処理部
【発明を実施するための最良の形態】
【００２０】
以下に添付図面を参照して、この発明に係る緊急呼番号情報取得システムの実施例を詳細に説明する。なお、以下では、本発明に係る緊急呼番号情報取得システムの概要および特徴、緊急呼番号情報取得システムにおける移動体通信基地局装置および携帯端末との構成および処理を順に説明し、実施例１の効果を説明した後に、他の実施例を実施例２として説明する。
【実施例１】
【００２１】
［用語の説明］
まず、以下の実施例で用いる主要な用語を説明する。「報知情報（請求の範囲に記載の「報知情報」に対応する）」とは、移動体通信基地局装置から携帯端末へ送信される種々の情報であり、以下の実施例では、移動体通信基地局装置は、３ＧＰＰ仕様「ＴＳ２５．３３１」で定義されているＳｙｓｔｅｍ  Ｉｎｆｏｒｍａｔｉｏｎ  Ｂｌｏｃｋｓというフォーマットに当該種々の情報を格納して送信する。なお、３ＧＰＰ仕様「ＴＳ２５．３３１」で定義されているフォーマットには、Ｍａｓｔｅｒ  Ｉｎｆｏｒｍａｔｉｏｎ  Ｂｌｏｃｋを初め、Ｓｙｓｔｅｍ  Ｉｎｆｏｒｍａｔｉｏｎ  Ｂｌｏｃｋ  Ｔｙｐｅ１〜Ｓｙｓｔｅｍ  Ｉｎｆｏｒｍａｔｉｏｎ  Ｂｌｏｃｋ  Ｔｙｐｅ１８まで、計１９種類の形式がある。【００２２】
また、「ＩＣカード（請求の範囲に記載の「ＩＣカード」）に対応する）」とは、携帯端末を機能させるために必要な情報（例えば、電話番号情報やユーザＩＤなど）を記録したものであり、例えばＵＳＩＭカードやＳＩＭカードがある。なお、３ＧＰＰ仕様「ＴＳ２５．３０４」で定義されたＣｅｌｌ  Ｓｅｌｅｃｔｉｏｎ／Ｒｅｓｅｌｅｃｔｉｏｎに関する状態遷移では、携帯端末は、ＵＳＩＭカードが未挿入の状態で電源が入ると、状態「Ａｎｙ  Ｃｅｌｌ  Ｓｅｌｅｃｔｉｏｎ」となり、電波強度的に待ち受け可能な移動体通信基地局が存在する場合には、状態「Ａｎｙ  Ｃｅｌｌ  Ｓｅｌｅｃｔｉｏｎ」から状態「Ｃａｍｐｅｄ  ｏｎ  ａｎｙ  ｃｅｌｌ」へ遷移する。また、ＵＳＩＭカードが挿入されても、携帯端末は、Ａｔｔａｃｈを失敗した場合、または、位置登録に失敗した場合には、状態「Ａｎｙ  Ｃｅｌｌ  Ｓｅｌｅｃｔｉｏｎ」となるが、ＨＯＭＥオペレータ、ＨＯＭＥオペレータがローミング契約をしているオペレータ、それ以外のオペレータの移動体通信基地局と電波強度的に待ち受け可能な場合には、ＵＳＩＭカードが未挿入の状態と同様に状態「Ａｎｙ  Ｃｅｌｌ  Ｓｅｌｅｃｔｉｏｎ」から状態「Ｃａｍｐｅｄ  ｏｎ  ａｎｙ  ｃｅｌｌ」へ遷移する。【００２３】
［緊急呼番号情報取得システムの概要および特徴］
図１を用いて、実施例１に係る緊急呼番号情報取得システムの概要および特徴を説明する。図１は、実施例１に係る緊急呼番号情報取得システムの概要および特徴を説明するための図である。【００２４】
実施例１に係る緊急呼番号情報取得システムは、サービスとして報知する情報である報知情報を送信する移動体通信基地局装置と、報知情報を受信する携帯端末とで構成されることを概要としており、状態「Ｃａｍｐｅｄ  ｏｎ  ａｎｙ  ｃｅｌｌ」にある携帯端末が緊急呼番号情報を取得することを可能にしている点に主たる特徴がある。【００２５】
この主たる特徴について説明すると、緊急呼番号情報取得システムにおいて、移動体通信基地局装置は、ＩＣカードが未挿入で、かつ、当該移動体通信基地局装置と電波強度的に待ち受け可能な状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している状態にある携帯端末に緊急機関の電話番号を示す情報である緊急呼番号情報を含んだ報知情報を送信する。具体的に例を挙げて説明すると、図１に示すように、移動体通信基地局装置１０は、３ＧＰＰ仕様「ＴＳ２５．３０４」で定義された状態「Ｃａｍｐｅｄ  ｏｎ  ａｎｙ  ｃｅｌｌ」にある携帯端末４０に対して緊急呼番号情報を含んだ報知情報１を送信する。【００２６】
そして、携帯端末は、ＩＣカードが未挿入で、かつ、移動体通信基地局装置と電波強度的に待ち受け可能な状態、または、ＩＣカードが挿入され、かつ、当該移動体通信基地局装置と電波強度的に待ち受け可能であり、かつ、当該移動体通信基地局装置とＲＮＣを介し、ＭＳＣへのＡｔｔａｃｈもしくは位置登録を現に失敗している状態において、移動体通信基地局装置から送信された報知情報を受信した場合に、当該受信した報知情報に含まれる緊急呼番号情報を取得する。具体的に例を挙げて説明すると、図１に示すように、３ＧＰＰ仕様「ＴＳ２５．３０４」で定義された状態「Ｃａｍｐｅｄ  ｏｎ  ａｎｙ  ｃｅｌｌ」にある携帯端末４０は、移動体通信基地局装置１０から送信された報知情報１を受信し、報知情報１に含まれる緊急呼番号情報２を取得する。【００２７】
こうすることによって、実施例１に係る緊急呼番号情報取得システムは、上記した主たる特徴のとおり、状態「Ｃａｍｐｅｄ  ｏｎ  ａｎｙ  ｃｅｌｌ」にある携帯端末が緊急呼番号情報を取得することが可能となる。【００２８】
［移動体通信基地局装置の構成］
次に、図２を用いて、実施例１に係る緊急呼番号情報取得システムにおける移動体通信基地局装置１０の構成を説明する。図２は、実施例１に係る移動体通信基地局装置１０の構成を示すブロック図である。同図に示すように、移動体通信基地局装置１０は、記憶部２０と、制御部３０とから構成される。【００２９】
記憶部２０は、制御部３０による各種処理に用いられるデータなどを記憶する。具体的には、記憶部２０は、後述する報知情報送信部３１によって送信される報知情報や緊急呼番号情報を記憶する。【００３０】
制御部３０は、各種の処理手順を規定したプログラムや制御データを格納するための内部メモリを有し、これらによって種々の処理を実行するプロセッサであり、特に本発明に密接に関連するものとしては、報知情報送信部３１を備える。なお、報知情報送信部３１は、請求の範囲に記載の「送信手段」に対応する。【００３１】
報知情報送信部３１は、ＩＣカードが未挿入で、かつ、当該移動体通信基地局装置１０と電波強度的に待ち受け可能な第一状態、または、ＩＣカードが挿入され、かつ、当該移動体通信基地局装置１０と電波強度的に待ち受け可能であり、かつ、当該移動体通信基地局装置１０とＲＮＣを介し、ＭＳＣへのＡｔｔａｃｈもしくは位置登録を現に失敗している第二状態にある端末装置に緊急機関の電話番号を示す情報である緊急呼番号情報を含んだ報知情報を送信する。【００３２】
具体的には、報知情報送信部３１は、管理者によって移動体通信基地局装置１０の起動スイッチが入れられると、記憶部２０に記憶された報知情報および緊急呼番号情報を読み出し、Ｓｙｓｔｅｍ  Ｉｎｆｏｒｍａｔｉｏｎ  Ｂｌｏｃｋｓなるフォーマットに当該読み出した報知情報および緊急呼番号情報を格納して送信する。【００３３】
例えば、図３に示すように、報知情報送信部３１は、Ｓｙｓｔｅｍ  Ｉｎｆｏｒｍａｔｉｏｎ  Ｂｌｏｃｋｓなるフォーマットの一つであるＭａｓｔｅｒ  Ｉｎｆｏｒｍａｔｉｏｎ  Ｂｌｏｃｋに「Ｅｍｅｒｇｅｎｃｙ  Ｃａｌｌ  Ｃｏｄｅ  Ｉｎｆｏｒｍａｔｉｏｎ」なる区分を追加し、その中に緊急呼番号情報「９１１」などを格納して送信する。なお、図３は、Ｍａｓｔｅｒ  Ｉｎｆｏｒｍａｔｉｏｎ  Ｂｌｏｃｋなるフォーマットに緊急呼番号情報を格納する例を説明するための図である。【００３４】
［携帯端末の構成］
次に、図４を用いて、実施例１に係る緊急呼番号情報取得システムにおける携帯端末４０の構成を説明する。図４は、携帯端末４０の構成を示すブロック図である。同図に示すように、携帯端末４０は、アンテナ４１ａと、ディスプレイ４１ｂと、スピーカ４１ｃと、受話スピーカ４１ｄと、マイクロフォン４１ｅと、操作ボタン４１ｆと、接続Ｉ／Ｆ部４１ｇと、ＵＳＩＭ５０と、記憶部７０と、制御部８０とから構成される。【００３５】
アンテナ４１ａは、電波を送信する、あるいは、受信する。ディスプレイ４１ｂは、制御部８０の処理結果による画像を表示する。スピーカ４１ｃは、電気信号を物理的な振動に変換して着信音や報知音などを発し、受話スピーカ４１ｄは、同様に通話相手の音声を発する。マイクロフォン４１ｅは、音声による物理的な振動を電気信号に変換する。操作ボタン４１ｆは、押下されることで制御部８０へ種々の情報やユーザの要求を出力する。接続Ｉ／Ｆ部４１ｇは、ＵＳＩＭ５０と物理的に接続して携帯端末４０とＵＳＩＭ５０との通信を可能にする。【００３６】
ＵＳＩＭ５０は、接続Ｉ／Ｆ部５１と、記憶部６０とを備え、接続Ｉ／Ｆ部５１によって携帯端末４０と物理的に接続して携帯端末４０との通信を可能にする。記憶部６０は、携帯端末４０がユーザに通信サービスを提供するための契約情報などを記憶し、特に本発明に密接に関連するものとしては、緊急呼番号記憶部６１を備える。【００３７】
緊急呼番号記憶部６１は、緊急呼番号情報を記憶する。具体的には、緊急呼番号記憶部６１は、図５−１に示すように、ＵＳＩＭ５０の製造時に予め格納された緊急呼番号情報を記憶する。例えば、緊急呼番号記憶部６１は、図５−１に示すように、緊急呼番号情報「１１０」を記憶する。なお、図５−１は、緊急呼番号記憶部６１が記憶する情報の例を示す図である。【００３８】
記憶部７０は、制御部８０による各種処理に用いられるデータなどを記憶し、特に本発明に密接に関連するものとしては、第一緊急呼番号記憶部７１と、第二緊急呼番号記憶部７２と、デフォルト緊急呼番号記憶部７３とを備える。【００３９】
第一緊急呼番号記憶部７１は、緊急呼番号情報を記憶する。具体的には、第一緊急呼番号記憶部７１は、図５−２に示すように、後述する第一緊急呼番号取得部８１によって格納された緊急呼番号情報を記憶する。例えば、第一緊急呼番号記憶部７１は、図５−２に示すように、緊急呼番号情報「９１１」を記憶する。なお、図５−２は、第一緊急呼番号記憶部７１が記憶する情報の例を示す図である。【００４０】
第二緊急呼番号記憶部７２は、緊急呼番号情報を記憶する。具体的には、第二緊急呼番号記憶部７２は、図５−３に示すように、後述する第二緊急呼番号取得部８２によって格納された緊急呼番号情報を記憶する。例えば、第二緊急呼番号記憶部７２は、図５−３に示すように、緊急呼番号情報「９１１」を記憶する。なお、図５−３は、第二緊急呼番号記憶部７２が記憶する情報の例を示す図である。【００４１】
デフォルト緊急呼番号記憶部７３は、緊急呼番号情報を記憶する。具体的には、デフォルト緊急呼番号記憶部７３は、図５−４に示すように、当該携帯端末４０の製造時に予め格納された緊急呼番号情報を記憶する。例えば、デフォルト緊急呼番号記憶部７３は、図５−４に示すように、緊急呼番号情報「１１９」を記憶する。なお、図５−４は、デフォルト緊急呼番号記憶部７３が記憶する情報の例を示す図である。【００４２】
制御部８０は、各種の処理手順を規定したプログラムや制御データを格納するための内部メモリを有し、これらによって種々の処理を実行するプロセッサであり、特に本発明に密接に関連するものとしては、第一緊急呼番号取得部８１と、第二緊急呼番号取得部８２と、通話処理部８３とを備える。なお、第二緊急呼番号取得部８２は、請求の範囲に記載の「緊急呼番号情報取得手段」に対応する。【００４３】
第一緊急呼番号取得部８１は、緊急呼番号情報を取得する。具体的には、第一緊急呼番号取得部８１は、携帯端末４０が３ＧＰＰ仕様「ＴＳ２５．３０４」で定義された状態「Ｃａｍｐｅｄ  ｎｏｒｍａｌｌｙ」にある場合に、移動体通信基地局装置１０から送信される緊急呼番号情報を受信すると、当該受信した緊急呼番号情報を第一緊急呼番号記憶部７１に格納する。例えば、第一緊急呼番号取得部８１は、緊急呼番号情報「９１１」などを受信して第一緊急呼番号記憶部７１に格納する。【００４４】
第二緊急呼番号取得部８２は、ＵＳＩＭ５０が未挿入で、かつ、移動体通信基地局装置１０と電波強度的に待ち受け可能な状態、または、ＵＳＩＭ５０が挿入され、かつ、移動体通信基地局装置１０と電波強度的に待ち受け可能であり、かつ、移動体通信基地局装置１０とＲＮＣを介し、ＭＳＣへのＡｔｔａｃｈもしくは位置登録を現に失敗している状態において、移動体通信基地局装置１０から送信された報知情報を受信した場合に、当該受信した報知情報に含まれる緊急呼番号情報を取得する。具体的には、第二緊急呼番号取得部８２は、携帯端末４０が３ＧＰＰ仕様「ＴＳ２５．３０４」で定義された状態「Ｃａｍｐｅｄ  ｏｎ  ａｎｙ  ｃｅｌｌ」にある場合に、移動体通信基地局装置１０より送信されたＳｙｓｔｅｍ  Ｉｎｆｏｒｍａｔｉｏｎ  Ｂｌｏｃｋなるフォーマットに格納された種々の報知情報を受信すると、フォーマットの構成を解析し、緊急呼番号情報が格納されている場合には、緊急呼番号情報を取り出して第二緊急呼番号記憶部７２に格納する。例えば、第二緊急呼番号取得部８２は、Ｍａｓｔｅｒ  Ｉｎｆｏｒｍａｔｉｏｎ  Ｂｌｏｃｋなるフォーマットに追加された「Ｅｍｅｒｇｅｎｃｙ  Ｃａｌｌ  Ｃｏｄｅ  Ｉｎｆｏｒｍａｔｉｏｎ」なる区分に格納された緊急呼番号情報「９１１」などを取り出して第二緊急呼番号記憶部７２に格納する。【００４５】
通話処理部８３は、アンテナ４１ａ、受話スピーカ４１ｄ、マイクロフォン４１ｅ、操作ボタン４１ｆなどを制御して電話としての通話機能をユーザに提供する。具体的には、通話処理部８３は、操作ボタン４１ｆがユーザに押下されることで生成された電話番号情報および発信要求を当該操作ボタン４１ｆより受け付けると、上述した緊急呼番号記憶部６１、第一緊急呼番号記憶部７１、第二緊急呼番号記憶部７２、デフォルト緊急呼番号記憶部７３のいずれかから緊急呼番号情報を読み出す。そして、通話処理部８３は、受け付けた電話番号情報と、読み出した緊急呼番号情報とを突合し、いずれも互いに異なる場合には、当該電話番号情報を用いて通常呼を発信するとともにＳＥＴＵＰという信号を移動体通信基地局装置１０とＲＮＣとを介してＭＳＣへ送信し、同一である場合には、当該電話番号情報を用いて緊急呼を発信するとともにＥＭＥＲＧＥＮＣＹ  ＳＥＴＵＰという信号を移動体通信基地局装置１０とＲＮＣとを介してＭＳＣへ送信する。なお、通話処理部８３による処理の詳細については、フローチャートで後述する。【００４６】
［移動体通信基地局装置による処理］
次に、図６を用いて、移動体通信基地局装置１０による処理を説明する。図６は、移動体通信基地局装置１０による報知情報送信処理の流れを示すフローチャートである。【００４７】
図６に示すように、移動体通信基地局装置１０は、管理者によって起動スイッチが入れられると（ステップＳ６０１肯定）、所定のフォーマットに格納した報知情報を規定した周期で送信を開始し（ステップＳ６０２）、報知情報の送信停止の指示があるまで続行する（ステップＳ６０２〜ステップＳ６０４）。【００４８】
［携帯端末による処理］
次に、図７や図８を用いて、携帯端末４０による処理を説明する。図７は、携帯端末４０による緊急呼番号情報取得処理の流れを示すフローチャートであり、図８は、携帯端末４０による発信処理の流れを示すフローチャートである。【００４９】
［緊急呼番号情報取得処理］
図７に示すように、携帯端末４０において、第二緊急呼番号取得部８２は、移動体通信基地局装置１０より送信された種々の報知情報を受信すると（ステップＳ７０１肯定）、当該種々の報知情報を格納するフォーマットを解析し（ステップＳ７０２）、緊急呼番号情報が格納されている場合には（ステップＳ７０３肯定）、緊急呼番号情報を取り出して第二緊急呼番号記憶部７２に格納し（ステップＳ７０４）、処理を終了する。【００５０】
［発信処理］
図８に示すように、携帯端末４０は、通話処理部８３が操作ボタン４１ｆより所定の電話番号情報に対する発信要求を受け付けると（ステップＳ８０１肯定）、現に通信状態にある移動体通信基地局装置１０の種別（ＨＯＭＥオペレータか、それ以外か）を判定し（ステップＳ８０２）、ＨＯＭＥオペレータである場合には（ステップＳ８０３肯定）、ＵＳＩＭ５０と通信して緊急呼番号記憶部６１に緊急呼番号情報が格納されているかを確かめる（ステップＳ８０４）。そして、携帯端末４０は、緊急呼番号記憶部６１に緊急呼番号情報が格納されている場合には（ステップＳ８０４肯定）、ＵＳＩＭ５０の緊急呼番号記憶部６１に格納された緊急呼番号情報を読み出し（ステップＳ８０５）、受け付けた電話番号情報と読み出した緊急呼番号情報とを突合する（ステップＳ８０６）。そして、携帯端末４０は、互いに同一な情報がある場合には（ステップＳ８０７肯定）、電話番号情報を用いた緊急呼の発信とともにＥＭＥＲＧＥＮＣＹ  ＳＥＴＵＰという信号を送信する（ステップＳ８０８）。一方、携帯端末４０は、いずれも互いに異なる場合には（ステップＳ８０７否定）、電話番号情報を用いた通常呼の発信とともにＳＥＴＵＰという信号を送信する（ステップＳ８０９）。【００５１】
ステップＳ８０３に戻って、ＨＯＭＥオペレータでない場合（ステップＳ８０３否定）、もしくは、ステップＳ８０４に戻って、緊急呼番号記憶部６１に緊急呼番号情報が格納されていない場合には（ステップＳ８０４否定）、携帯端末４０は、第一緊急呼番号記憶部７１に緊急呼番号情報が格納されているかを確かめる（ステップＳ８１０）。そして、携帯端末４０は、第一緊急呼番号記憶部７１に緊急呼番号情報が格納されている場合には（ステップＳ８１０肯定）、第一緊急呼番号記憶部７１に格納された緊急呼番号情報を読み出し（ステップＳ８１１）、受け付けた電話番号情報と読み出した緊急呼番号情報とを突合する（ステップＳ８１２）。そして、携帯端末４０は、互いに同一な情報がある場合には（ステップＳ８１３肯定）、電話番号情報を用いた緊急呼の発信とともにＥＭＥＲＧＥＮＣＹ  ＳＥＴＵＰという信号を送信する（ステップＳ８１４）。一方、携帯端末４０は、いずれも互いに異なる場合には（ステップＳ８１３否定）、電話番号情報を用いた通常呼の発信とともにＳＥＴＵＰという信号を送信する（ステップＳ８１５）。【００５２】
ステップＳ８１０に戻って、第一緊急呼番号記憶部７１に緊急呼番号情報が格納されていない場合には（ステップＳ８１０否定）、携帯端末４０は、第二緊急呼番号記憶部７２に緊急呼番号情報が格納されているかを確かめる（ステップＳ８１６）。そして、携帯端末４０は、第二緊急呼番号記憶部７２に緊急呼番号情報が格納されている場合には（ステップＳ８１６肯定）、第二緊急呼番号記憶部７２に格納された緊急呼番号情報を読み出し（ステップＳ８１７）、受け付けた電話番号情報と読み出した緊急呼番号情報とを突合する（ステップＳ８１８）。そして、携帯端末４０は、互いに同一な情報がある場合には（ステップＳ８１９肯定）、電話番号情報を用いた緊急呼の発信とともにＥＭＥＲＧＥＮＣＹ  ＳＥＴＵＰという信号を送信する（ステップＳ８２０）。一方、携帯端末４０は、いずれも互いに異なる場合には（ステップＳ８１９否定）、電話番号情報を用いた通常呼の発信とともにＳＥＴＵＰという信号を送信する（ステップＳ８２１）。【００５３】
ステップＳ８１６に戻って、第二緊急呼番号記憶部７２に緊急呼番号情報が格納されていない場合には（ステップＳ８１６否定）、携帯端末４０は、デフォルト緊急呼番号記憶部７３に緊急呼番号情報が格納されているかを確かめる（ステップＳ８２２）。そして、携帯端末４０は、デフォルト緊急呼番号記憶部７３に緊急呼番号情報が格納されている場合には（ステップＳ８２２肯定）、デフォルト緊急呼番号記憶部７３に格納された緊急呼番号情報を読み出し（ステップＳ８２３）、受け付けた電話番号情報と読み出した緊急呼番号情報とを突合する（ステップＳ８２４）。そして、携帯端末４０は、互いに同一な情報がある場合には（ステップＳ８２５肯定）、電話番号情報を用いた緊急呼の発信とともにＥＭＥＲＧＥＮＣＹ  ＳＥＴＵＰという信号を送信する（ステップＳ８２６）。一方、携帯端末４０は、いずれも互いに異なる場合には（ステップＳ８２５否定）、電話番号情報を用いた通常呼の発信とともにＳＥＴＵＰという信号を送信する（ステップＳ８２７）。【００５４】
ステップＳ８２２に戻って、デフォルト緊急呼番号記憶部７３に緊急呼番号情報が格納されていない場合には（ステップＳ８２２否定）、電話番号情報を用いた通常呼の発信とともにＳＥＴＵＰという信号を送信し（ステップＳ８２８）、処理を終了する。【００５５】
［実施例１の効果］
上記したように、実施例１によれば、移動体通信基地局装置は、３ＧＰＰ仕様「ＴＳ２５．３０４」で定義された状態「Ｃａｍｐｅｄ  ｏｎ  ａｎｙ  ｃｅｌｌ」にある携帯端末に緊急機関の電話番号を示す情報である緊急呼番号情報を含んだ報知情報を送信する。そして、携帯端末は、移動体通信基地局装置から送信された報知情報を受信した場合に、当該受信した報知情報に含まれる緊急呼番号情報を取得する。こうすることによって、状態「Ｃａｍｐｅｄ  ｏｎ  ａｎｙ  ｃｅｌｌ」にある携帯端末が緊急呼番号情報を取得することが可能となる。
【実施例２】
【００５６】
実施例１では、携帯端末は、緊急呼番号情報のみを格納する場合を説明したが、実施例２では、その緊急呼番号情報がどの国のものであるか示す移動体通信用国番号（以下、ＭＣＣ（Mobile  Country  Code）と呼称）を緊急呼番号情報と併せて格納する場合を説明する。【００５７】
ＭＣＣは、図３に示したＭａｓｔｅｒ  Ｉｎｆｏｒｍａｔｉｏｎ  Ｂｌｏｃｋの「ＣＮ  ｉｎｆｏｒｍａｔｉｏｎ  ｅｌｅｍｅｎｔｓ」なる区分におけるＰＬＭＮ  Ｉｄｅｎｔｉｔｙから取得可能である。実施例２において、ＭＣＣを登場させる意義は、本発明をより実際の実装に近い形態で説明するためである。なお、実施例２における携帯端末の構成や、各部の基本的な動作、機能については実施例１と同様であるので、以下では、図４を実施例２にかかる携帯端末の構成を示すブロック図として兼用し、携帯端末のみの説明を行う。【００５８】
緊急呼番号記憶部６１は、緊急呼番号情報を移動体通信用国番号情報と併せて記憶する。具体的に例を挙げて説明すると、緊急呼番号記憶部６１は、図９−１に示すように、緊急呼番号情報「１１０」など、種々の緊急呼番号情報を移動体通信用国番号情報「４４０」と併せて記憶する。なお、緊急呼番号記憶部６１によって記憶される情報は、ＵＳＩＭ５０の製造時に予め格納されるものである。また、図９−１は、緊急呼番号記憶部６１が記憶する情報の例を示す図である。【００５９】
第一緊急呼番号記憶部７１は、緊急呼番号情報を移動体通信用国番号情報と併せて記憶する。具体的に例を挙げて説明すると、第一緊急呼番号記憶部７１は、図９−２に示すように、緊急呼番号情報「９１１」など、種々の緊急呼番号情報を移動体通信用国番号情報「３１０」と併せて記憶する。なお、かかる緊急呼番号情報や移動体通信用国番号情報は、移動体通信基地局装置１０から送信され、第一緊急呼番号取得部８１によって格納されたものである。また、図９−２は、第一緊急呼番号記憶部７１が記憶する情報の例を示す図である。【００６０】
第二緊急呼番号記憶部７２は、緊急呼番号情報を移動体通信用国番号情報と併せて記憶する。具体的に例を挙げて説明すると、第二緊急呼番号記憶部７２は、図９−３に示すように、緊急呼番号情報「９１１」など、種々の緊急呼番号情報を移動体通信用国番号情報「３１０」と併せて記憶する。なお、かかる緊急呼番号情報や移動体通信用国番号情報は、第二緊急呼番号取得部８２によって格納されるが、後に図１０のフローチャートを用いて詳述する。また、図９−３は、第二緊急呼番号記憶部７２が記憶する情報の例を示す図である。【００６１】
デフォルト緊急呼番号記憶部７３は、緊急呼番号情報を移動体通信用国番号情報と併せて記憶する。具体的に例を挙げて説明すると、デフォルト緊急呼番号記憶部７３は、図９−４に示すように、緊急呼番号情報「１１０」など、種々の緊急呼番号情報を移動体通信用国番号情報「４４０」と併せて記憶する。なお、デフォルト緊急呼番号記憶部７３によって記憶される情報は、当該携帯端末４０の製造時に予め格納されるものである。また、図９−４は、デフォルト緊急呼番号記憶部７３が記憶する情報の例を示す図である。【００６２】
［携帯端末による処理］
図１０や図１１を用いて、実施例２にかかる携帯端末４０の処理を説明する。図１０は、実施例２にかかる緊急呼番号情報取得処理の流れを示すフローチャートであり、図１１は、実施例２にかかる発信処理の流れを示すフローチャートである。【００６３】
［緊急呼番号情報取得処理］
図１０に示すように、携帯端末４０において、第二緊急呼番号取得部８２は、移動体通信基地局装置１０より送信された種々の報知情報を受信すると（ステップＳ１００１肯定）、当該種々の報知情報を格納するフォーマットを解析する（ステップＳ１００２）。【００６４】
そして、第二緊急呼番号取得部８２は、Ｍａｓｔｅｒ  Ｉｎｆｏｒｍａｔｉｏｎ  Ｂｌｏｃｋに含まれるＰＬＭＮ  ＩｄｅｎｔｉｔｙからＭＣＣを取得するとともに（ステップＳ１００３）、緊急呼番号情報の取得については、例えばＳｙｓｔｅｍ  Ｉｎｆｏｒｍａｔｉｏｎ  Ｂｌｏｃｋ  Ｔｙｐｅ１からの取得を試みる（ステップＳ１００４）。【００６５】
そして、第二緊急呼番号取得部８２は、Ｓｙｓｔｅｍ  Ｉｎｆｏｒｍａｔｉｏｎ  Ｂｌｏｃｋ  Ｔｙｐｅ１に緊急呼番号情報が格納されている場合には（ステップＳ１００５肯定）、第二緊急呼番号記憶部７２にアクセスし、すでに所定の情報が格納済みであるかを確認する（ステップＳ１００６）。【００６６】
ここで、第二緊急呼番号取得部８２は、第二緊急呼番号記憶部７２に何も情報が格納されていない場合には（ステップＳ１００６否定）、Ｍａｓｔｅｒ  Ｉｎｆｏｒｍａｔｉｏｎ  Ｂｌｏｃｋから取得したＭＣＣを第二緊急呼番号記憶部７２の移動体通信用国番号情報として書き込むとともに（ステップＳ１００８）、Ｓｙｓｔｅｍ  Ｉｎｆｏｒｍａｔｉｏｎ  Ｂｌｏｃｋ  Ｔｙｐｅ１からは緊急呼番号情報を取得して第二緊急呼番号記憶部７２の緊急呼番号情報として書き込む（ステップＳ１００９）。【００６７】
一方、第二緊急呼番号取得部８２は、第二緊急呼番号記憶部７２に、すでに所定の情報が格納されている場合には（ステップＳ１００６肯定）、第二緊急呼番号記憶部７２に格納された移動体通信用国番号情報と、Ｍａｓｔｅｒ  Ｉｎｆｏｒｍａｔｉｏｎ  Ｂｌｏｃｋから取得したＭＣＣとを比較する（ステップＳ１００７）。【００６８】
そして、第二緊急呼番号取得部８２は、両者が一致しない場合には（ステップＳ１００７否定）、Ｍａｓｔｅｒ  Ｉｎｆｏｒｍａｔｉｏｎ  Ｂｌｏｃｋから取得したＭＣＣを第二緊急呼番号記憶部７２の移動体通信用国番号情報として書き込むとともに（ステップＳ１００８）、Ｓｙｓｔｅｍ  Ｉｎｆｏｒｍａｔｉｏｎ  Ｂｌｏｃｋ  Ｔｙｐｅ１からは緊急呼番号情報を取得して第二緊急呼番号記憶部７２の緊急呼番号情報として書き込み（ステップＳ１００９）、処理を終了する。なお、第二緊急呼番号取得部８２は、両者が一致している場合には（ステップＳ１００７肯定）、情報に変化はないものとして処理を終了する。これは、国が緊急呼番号を変更することはまずないので、両者の一致を、取得した緊急呼番号情報と、格納済みの緊急呼番号情報との一致と同等なものと考えたためである。また、ステップＳ１００５において、Ｓｙｓｔｅｍ  Ｉｎｆｏｒｍａｔｉｏｎ  Ｂｌｏｃｋ  Ｔｙｐｅ１に緊急呼番号情報が格納されていない場合には（ステップＳ１００５否定）、他のＴｙｐｅからの取得を試みる処理などに移行してもよいが、ここでは説明を省略する。【００６９】
［発信処理］
次に、図１１を説明すると、携帯端末４０は、通話処理部８３が操作ボタン４１ｆより所定の電話番号情報に対する発信要求を受け付けると（ステップＳ１１０１肯定）、現に通信状態にある移動体通信基地局装置１０の種別（ＨＯＭＥオペレータか、それ以外か）を判定し（ステップＳ１１０２）、ＨＯＭＥオペレータである場合には（ステップＳ１１０３肯定）、ＵＳＩＭ５０と通信して緊急呼番号記憶部６１に緊急呼番号情報が格納されているかを確かめる（ステップＳ１１０４）。そして、携帯端末４０は、緊急呼番号記憶部６１に緊急呼番号情報が格納されている場合には（ステップＳ１１０４肯定）、ＵＳＩＭ５０の緊急呼番号記憶部６１に格納された緊急呼番号情報を読み出し（ステップＳ１１０５）、受け付けた電話番号情報と読み出した緊急呼番号情報とを突合する（ステップＳ１１０６）。そして、携帯端末４０は、互いに同一な情報がある場合には（ステップＳ１１０７肯定）、電話番号情報を用いた緊急呼の発信とともにＥＭＥＲＧＥＮＣＹ  ＳＥＴＵＰという信号を送信する（ステップＳ１１０８）。一方、携帯端末４０は、いずれも互いに異なる場合には（ステップＳ１１０７否定）、電話番号情報を用いた通常呼の発信とともにＳＥＴＵＰという信号を送信する（ステップＳ１１０９）。【００７０】
ステップＳ１１０３に戻って、ＨＯＭＥオペレータでない場合（ステップＳ１１０３否定）、もしくは、ステップＳ１１０４に戻って、緊急呼番号記憶部６１に緊急呼番号情報が格納されていない場合には（ステップＳ１１０４否定）、携帯端末４０は、第一緊急呼番号記憶部７１に緊急呼番号情報が格納されているかを確かめる（ステップＳ１１１０）。そして、携帯端末４０は、第一緊急呼番号記憶部７１に緊急呼番号情報が格納されている場合には（ステップＳ１１１０肯定）、在圏ネットワークの国番号と、第一緊急呼番号記憶部７１に緊急呼番号情報と併せて格納されている移動体通信用国番号情報とを突合する（ステップＳ１１１１）。【００７１】
ところで、携帯端末４０は、国ごとに一意に割り当てられた識別情報である国番号情報を保持し、かかる識別情報を更新することで、自身が現にどの国にいるかを認識している。例えば、携帯端末４０は、移動体通信基地局装置１０が送信する報知情報を受信し、当該受信した報知情報に含まれる移動体通信用国番号情報を取得して、所定の記憶部に格納する。なお、ここでいう所定の記憶部とは、上記した緊急呼番号記憶部６１、第一緊急呼番号記憶部７１、第二緊急呼番号記憶部７２、および、デフォルト緊急呼番号記憶部７３とは別の記憶部である。【００７２】
ステップＳ１１１１に戻って、携帯端末４０は、所定の記憶部から読み出した在圏ネットワークの国番号情報と、第一緊急呼番号記憶部７１に緊急呼番号情報と併せて格納されている移動体通信用国番号情報とが一致していれば（ステップＳ１１１１肯定）、第一緊急呼番号記憶部７１に格納された緊急呼番号情報を読み出し（ステップＳ１１１２）、受け付けた電話番号情報と読み出した緊急呼番号情報とを突合する（ステップＳ１１１３）。【００７３】
そして、携帯端末４０は、互いに同一な情報がある場合には（ステップＳ１１１４肯定）、電話番号情報を用いた緊急呼の発信とともにＥＭＥＲＧＥＮＣＹ  ＳＥＴＵＰという信号を送信する（ステップＳ１１１５）。【００７４】
ステップＳ１１１０に戻って、第一緊急呼番号記憶部７１に緊急呼番号情報が格納されていない場合（ステップＳ１１１０否定）、もしくは、ステップＳ１１１４において、受け付けた電話番号情報と読み出した緊急呼番号情報いずれもが異なる場合には（ステップＳ１１１４否定）、携帯端末４０は、第二緊急呼番号記憶部７２に緊急呼番号情報が格納されているかを確かめる（ステップＳ１１１６）。【００７５】
そして、携帯端末４０は、第二緊急呼番号記憶部７２に緊急呼番号情報が格納されている場合には（ステップＳ１１１６肯定）、所定の記憶部から読み出した在圏ネットワークの国番号情報と、第二緊急呼番号記憶部７２に緊急呼番号情報と併せて格納されている移動体通信用国番号情報とを突合する（ステップＳ１１１７）。【００７６】
そして、携帯端末４０は、両者が一致していれば（ステップＳ１１１７肯定）、第二緊急呼番号記憶部７２に格納された緊急呼番号情報を読み出し（ステップＳ１１１８）、受け付けた電話番号情報と読み出した緊急呼番号情報とを突合する（ステップＳ１１１９）。【００７７】
そして、携帯端末４０は、互いに同一な情報がある場合には（ステップＳ１１２０肯定）、電話番号情報を用いた緊急呼の発信とともにＥＭＥＲＧＥＮＣＹ  ＳＥＴＵＰという信号を送信する（ステップＳ１１２１）。【００７８】
ステップＳ１１１６に戻って、第二緊急呼番号記憶部７２に緊急呼番号情報が格納されていない場合（ステップＳ１１１６否定）、もしくは、ステップＳ１１２０において、受け付けた電話番号情報と読み出した緊急呼番号情報いずれもが異なる場合には（ステップＳ１１２０否定）、携帯端末４０は、デフォルト緊急呼番号記憶部７３に緊急呼番号情報が格納されているかを確かめる（ステップＳ１１２２）。【００７９】
そして、携帯端末４０は、デフォルト緊急呼番号記憶部７３に緊急呼番号情報が格納されている場合には（ステップＳ１１２２肯定）、所定の記憶部から読み出した在圏ネットワークの国番号情報と、デフォルト緊急呼番号記憶部７３に緊急呼番号情報と併せて格納されている移動体通信用国番号情報とを突合する（ステップＳ１１２３）。【００８０】
そして、携帯端末４０は、両者が一致していれば（ステップＳ１１２３肯定）、デフォルト緊急呼番号記憶部７３に格納された緊急呼番号情報を読み出し（ステップＳ１１２４）、受け付けた電話番号情報と読み出した緊急呼番号情報とを突合する（ステップＳ１１２５）。【００８１】
そして、携帯端末４０は、互いに同一な情報がある場合には（ステップＳ１１２６肯定）、電話番号情報を用いた緊急呼の発信とともにＥＭＥＲＧＥＮＣＹ  ＳＥＴＵＰという信号を送信する（ステップＳ１１２７）。なお、ステップＳ１１２３や、ステップＳ１１２６において、在圏ネットワークの国番号情報と、移動体通信用国番号情報とが一致しない場合（ステップＳ１１２３否定）、また、受け付けた電話番号情報と読み出した緊急呼番号情報いずれもが異なる場合に（ステップＳ１１２６否定）、携帯端末４０は、発信要求として受け付けた電話番号情報を用いた通常呼の発信とともにＳＥＴＵＰという信号を送信し（ステップＳ１１２８）、処理を終了する。【００８２】
［実施例２の効果］
上記したように、実施例２によれば、実施例１と同様、移動体通信基地局装置は、３ＧＰＰ仕様「ＴＳ２５．３０４」で定義された状態「Ｃａｍｐｅｄ  ｏｎ  ａｎｙ  ｃｅｌｌ」にある携帯端末に緊急機関の電話番号を示す情報である緊急呼番号情報を含んだ報知情報を送信する。そして、携帯端末は、移動体通信基地局装置から送信された報知情報を受信した場合に、当該受信した報知情報に含まれる緊急呼番号情報を取得する。こうすることによって、状態「Ｃａｍｐｅｄ  ｏｎ  ａｎｙ  ｃｅｌｌ」にある携帯端末が緊急呼番号情報を取得することが可能となる。
【実施例３】
【００８３】
さて、これまで本発明の実施例について説明したが、本発明は上述した実施例以外にも、種々の異なる形態にて実施されてよいものである。そこで、以下に示すように、（１）〜（４）にそれぞれ区分けして異なる実施例を説明する。【００８４】
（１）緊急呼番号情報の格納
上記の実施例１では、Ｍａｓｔｅｒ  Ｉｎｆｏｒｍａｔｉｏｎ  Ｂｌｏｃｋに「Ｅｍｅｒｇｅｎｃｙ  Ｃａｌｌ  Ｃｏｄｅ  Ｉｎｆｏｒｍａｔｉｏｎ」なる区分を追加し、その中に緊急呼番号情報を格納する場合を説明したが、本発明はこれに限定されるものではなく、報知情報を格納するＳｙｓｔｅｍ  Ｉｎｆｏｒｍａｔｉｏｎ  Ｂｌｏｃｋｓなる３ＧＰＰ仕様「ＴＳ２５．３３１」で定義されたフォーマットの中で、携帯端末が移動体通信基地局装置と電波強度的に待ち受け可能な状態、もしくは携帯端末の起動から待ち受け可能な状態へ遷移する過程で受信する報知情報であれば、いずれのフォーマットに格納してもよい。【００８５】
例えば、図１２に示すように、Ｓｙｓｔｅｍ  Ｉｎｆｏｒｍａｔｉｏｎ  Ｂｌｏｃｋｓなるフォーマットの一つであるＳｙｓｔｅｍ  Ｉｎｆｏｒｍａｔｉｏｎ  Ｂｌｏｃｋ  Ｔｙｐｅ１におけるＧＳＭ−ＭＡＰ  ＮＡＳ  ｓｙｓｔｅｍ  ｉｎｆｏｒｍａｔｉｏｎの区分に緊急呼番号情報「９１１」などを格納してもよい。なお、図１２は、Ｓｙｓｔｅｍ  Ｉｎｆｏｒｍａｔｉｏｎ  Ｂｌｏｃｋ  Ｔｙｐｅ１なるフォーマットに緊急呼番号情報を格納する例を説明するための図である。【００８６】
また、例えば、図１３に示すように、Ｓｙｓｔｅｍ  Ｉｎｆｏｒｍａｔｉｏｎ  Ｂｌｏｃｋｓなるフォーマットの一つであるＳｙｓｔｅｍ  Ｉｎｆｏｒｍａｔｉｏｎ  Ｂｌｏｃｋ  Ｔｙｐｅ３に「Ｅｍｅｒｇｅｎｃｙ  Ｃａｌｌ  Ｃｏｄｅ  Ｉｎｆｏｒｍａｔｉｏｎ」なる区分を追加し、その中に緊急呼番号情報「９１１」などを格納してもよい。なお、図１３は、Ｓｙｓｔｅｍ  Ｉｎｆｏｒｍａｔｉｏｎ  Ｂｌｏｃｋ  Ｔｙｐｅ３なるフォーマットに緊急呼番号情報を格納する例を説明するための図である。【００８７】
また、例えば、図１４に示すように、Ｓｙｓｔｅｍ  Ｉｎｆｏｒｍａｔｉｏｎ  Ｂｌｏｃｋｓなるフォーマットの一つであるＳｙｓｔｅｍ  Ｉｎｆｏｒｍａｔｉｏｎ  Ｂｌｏｃｋ  Ｔｙｐｅ５に「Ｅｍｅｒｇｅｎｃｙ  Ｃａｌｌ  Ｃｏｄｅ  Ｉｎｆｏｒｍａｔｉｏｎ」なる区分を追加し、その中に緊急呼番号情報「９１１」などを格納してもよい。なお、図１４は、Ｓｙｓｔｅｍ  Ｉｎｆｏｒｍａｔｉｏｎ  Ｂｌｏｃｋ  Ｔｙｐｅ５なるフォーマットに緊急呼番号情報を格納する例を説明するための図である。【００８８】
また、例えば、図１５に示すように、Ｓｙｓｔｅｍ  Ｉｎｆｏｒｍａｔｉｏｎ  Ｂｌｏｃｋｓなるフォーマットの一つであるＳｙｓｔｅｍ  Ｉｎｆｏｒｍａｔｉｏｎ  Ｂｌｏｃｋ  Ｔｙｐｅ７に「Ｅｍｅｒｇｅｎｃｙ  Ｃａｌｌ  Ｃｏｄｅ  Ｉｎｆｏｒｍａｔｉｏｎ」なる区分を追加し、その中に緊急呼番号情報「９１１」などを格納してもよい。なお、図１５は、Ｓｙｓｔｅｍ  Ｉｎｆｏｒｍａｔｉｏｎ  Ｂｌｏｃｋ  Ｔｙｐｅ７なるフォーマットに緊急呼番号情報を格納する例を説明するための図である。【００８９】
また、例えば、図１６に示すように、Ｓｙｓｔｅｍ  Ｉｎｆｏｒｍａｔｉｏｎ  Ｂｌｏｃｋｓなるフォーマットの一つであるＳｙｓｔｅｍ  Ｉｎｆｏｒｍａｔｉｏｎ  Ｂｌｏｃｋ  Ｔｙｐｅ１１に「Ｅｍｅｒｇｅｎｃｙ  Ｃａｌｌ  Ｃｏｄｅ  Ｉｎｆｏｒｍａｔｉｏｎ」なる区分を追加し、その中に緊急呼番号情報「９１１」などを格納してもよい。なお、図１６は、Ｓｙｓｔｅｍ  Ｉｎｆｏｒｍａｔｉｏｎ  Ｂｌｏｃｋ  Ｔｙｐｅ１１なるフォーマットに緊急呼番号情報を格納する例を説明するための図である。【００９０】
（２）フォーマットの追加
また、上記の実施例１では、３ＧＰＰ仕様「ＴＳ２５．３３１」で定義されている既存のＳｙｓｔｅｍ  Ｉｎｆｏｒｍａｔｉｏｎ  Ｂｌｏｃｋｓのみを用いて緊急呼番号情報を格納する場合を説明したが、本発明はこれに限定されるものではなく、新たに作成したフォーマットを用いて緊急呼番号情報を格納してもよい。例えば、図１７に示すように、Ｓｙｓｔｅｍ  Ｉｎｆｏｒｍａｔｉｏｎ  Ｂｌｏｃｋ  Ｔｙｐｅ１９なるフォーマットを作成し、「Ｅｍｅｒｇｅｎｃｙ  Ｃａｌｌ  Ｃｏｄｅ  Ｉｎｆｏｒｍａｔｉｏｎ」なる区分に緊急呼番号情報「９１１」などを格納してもよい。なお、図１７は、Ｓｙｓｔｅｍ  Ｉｎｆｏｒｍａｔｉｏｎ  Ｂｌｏｃｋ  Ｔｙｐｅ１９なるフォーマットに緊急呼番号情報を格納する例を説明するための図である。【００９１】
（３）緊急呼番号情報の格納フォーマット
また、上記の実施例１では、緊急呼番号情報の格納については所定のフォーマットを使用せずに、緊急呼番号情報をそのまま格納する場合を説明したが、本発明はこれに限定されるものではなく、所定のフォーマットを使用して緊急呼番号情報を格納してもよく、例えば、図１８は、３ＧＰＰ仕様「ＴＳ３１．１０２」で定義された格納フォーマットを示す図であるが、同図に示す格納フォーマットを使用して緊急呼番号情報を格納するようにしてもよい。なお、当該格納フォーマットを使用する場合には、「Ｅｍｅｒｇｅｎｃｙ  Ｃａｌｌ  Ｃｏｄｅ」の区分に緊急呼番号情報「９１１」などを格納する。【００９２】
（４）システム構成等
また、図示した各装置の各構成要素は機能概念的なものであり、必ずしも物理的に図示の如く構成されていることを要しない。すなわち、各装置の分散・統合の具体的形態は図示のものに限られず、例えば、第一緊急呼番号取得部８１と、第二緊急呼番号取得部８２とを統合するなど、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。【００９３】
また、上記文書中や図面中で示した処理手順、制御手順、具体的名称、各種のデータやパラメータを含む情報については、特記する場合を除いて任意に変更することができる。例えば、緊急呼番号情報に用いた「９１１」などについてはこの限りではなく、緊急連絡先の電話番号を示すものであればよい。
【産業上の利用可能性】
【００９４】
以上のように、本発明に係る緊急呼番号情報取得システムは、サービスとして報知する情報である報知情報を送信する移動体通信基地局装置と、報知情報を受信する端末装置との構成において有用であり、状態「Ｃａｍｐｅｄ  ｏｎ  ａｎｙ  ｃｅｌｌ」にある端末装置が緊急呼番号情報を取得することに適する。
【図１】
2009013792.tif 000003
【図２】
2009013792.tif 000004
【図３】
2009013792.tif 000005
【図４】
2009013792.tif 000006
【図５−１】
2009013792.tif 000007
【図５−２】
2009013792.tif 000008
【図５−３】
2009013792.tif 000009
【図５−４】
2009013792.tif 000010
【図６】
2009013792.tif 000011
【図７】
2009013792.tif 000012
【図８】
2009013792.tif 000013
【図９−１】
2009013792.tif 000014
【図９−２】
2009013792.tif 000015
【図９−３】
2009013792.tif 000016
【図９−４】
2009013792.tif 000017
【図１０】
2009013792.tif 000018
【図１１】
2009013792.tif 000019
【図１２】
2009013792.tif 000020
【図１３】
2009013792.tif 000021
【図１４】
2009013792.tif 000022
【図１５】
2009013792.tif 000023
【図１６】
2009013792.tif 000024
【図１７】
2009013792.tif 000025
【図１８】
2009013792.tif 000026
【図１９】
2009013792.tif 000027
【国際調査報告】
2009013792.tif 000028
2009013792.tif 000029
2009013792.tif 000030
2009013792.tif 000031